(57)【要約】      （修正有）【課題】乳房の形状を形良く維持するために、女性使用者がブラジャーを着用した時に、カップが女性の乳房を包み、ブラジャーパッドが乳房とカップの間に位置するようになり、女性使用者の乳房形状を調整するブラジャーパッド調整構造を提供する。【解決手段】袋部２１と、エアポンプ本体２２と、排気弁２３とを備えるブラジャーパッド調整構造２であり、この袋部２１は、第一層膜と第二層膜を一体成形によって接合してなり、このエアポンプ本体２２は、この袋部２１内に設けられ、且つこの第一層膜とこの第二層膜の一方に設置されており、流体をこの袋部２１に供給すると、この袋部２１が膨張して、更に袋部２１内に気室が形成されて、人体の乳房を持ち上げるという調整作用を発揮し、この排気弁２３は、この袋部２１の第一層膜と第二層膜の一方に設けられており、この袋部２１中の流体を外部に排出する。【選択図】図２Ａ
0003188201.tif 000002
【実用新案登録請求の範囲】
【請求項１】
人体の２つの乳房に対応しそれぞれが内側凹部及び内側下縁を有する２つのカップを備えるブラジャーに用いられるブラジャーパッド調整構造であって、
第一層膜の周縁と第二層膜を一体成形によって接合してなり、２つの乳房接触部及び中央通路部を定義するものであり、前記中央通路部が前記乳房接触部の間に位置し、各前記乳房接触部の下縁のそれぞれが各前記カップの内側下縁に接続され、各前記乳房接触部が前記第一層膜と前記第二層膜を繋ぐ第一締付線を有し、各前記乳房接触部が前記第一締付線により第一部分と第二部分に区切られ、前記第一部分が各前記乳房接触部の前記下縁と各前記乳房接触部の前記第一締付線の間に位置し、前記第二部分が各前記カップの前記内側凹部に対応し、前記第一部分と前記第二部分の間に前記第一締付線を通過する少なくとも１つの第一通路を有し、前記第一部分と前記第二部分が前記少なくとも１つの第一通路を介して流体が流通できるように連通している袋部と、
前記袋部上に設けられ、且つ前記第一層膜と前記第二層膜の一方に設けられており、押されると、流体を前記袋部に供給するエアポンプ本体と、
前記袋部上に設けられ、前記第一層膜と前記第二層膜の一方に固定設置されており、前記袋部中の流体を外部に排出する排気弁と、を備え、
前記エアポンプ本体は流体を前記袋部内に供給すると、前記袋部が膨張して、更に袋部内に気室が形成される
ブラジャーパッド調整構造。
【請求項２】
各前記乳房接触部の前記第二部分が前記第一層膜と前記第二層膜を繋ぐ第二締付線を有し、前記第二部分が前記第二締付線により第一サブ部分と第二サブ部分に区切られ、前記第一サブ部分が前記乳房接触部の中央箇所に位置し、前記第二サブ部分が前記第二締付線と各前記乳房接触部の上縁の間に位置し、前記第一サブ部分と前記第二サブ部分の間に前記第二締付線を通過する少なくとも１つの第二通路を有し、前記第一サブ部分及び前記第二サブ部分が前記少なくとも１つの第二通路を介して流体が流通できるように連通しており、前記第二サブ部分の第二厚さが前記第一サブ部分の第一厚さより低い、請求項１に記載のブラジャーパッド調整構造。
【請求項３】
前記エアポンプ本体は、前記乳房接触部の一方の前記第二部分の前記第一サブ部分に位置する、請求項１に記載のブラジャーパッド調整構造。
【請求項４】
前記エアポンプ本体は、前記中央通路部における前記第一層膜と前記第二層膜の一方に位置する、請求項１に記載のブラジャーパッド調整構造。
【請求項５】
前記ブラジャーは、それぞれが各前記カップの外縁に接続されており、各前記乳房の外側に対応して貼り付けられる接着層を有する２つのサイドパネルを備える、請求項１に記載のブラジャーパッド調整構造。
【請求項６】
各前記カップの外側領域に第一貼付構造を備える、請求項５に記載のブラジャーパッド調整構造。
【請求項７】
前記ブラジャーは、ストラップと、それぞれが留めリング及び留め具を有する少なくとも２つの留め具ユニットとを備え、各前記カップの前記外縁に前記留めリングが設けられ、前記ストラップの両端のそれぞれに各前記留め具が設けられており、各前記留め具のそれぞれと各前記留めリングが接続され、前記ストラップと前記カップを接合させる、請求項１に記載のブラジャーパッド調整構造。
【請求項８】
各前記サイドパネルは、取外し可能に前記第一貼付構造に貼り合せられる第二貼付構造を備える、請求項６に記載のブラジャーパッド調整構造。
【請求項９】
各前記サイドパネルは、前記接着層に貼り付けられ、前記接着層から分離可能としており、前記接着層を各前記乳房の外側に対応して貼り付けさせる保護層を備える、請求項８に記載のブラジャーパッド調整構造。
【請求項１０】
前記ブラジャーは、その両端のそれぞれに取外し可能に前記第一貼付構造に貼り合せられる第二貼付構造を有するストラップを備える、請求項６に記載のブラジャーパッド調整構造。
【考案の詳細な説明】
【技術分野】
【０００１】
本考案は、ブラジャーに用いるブラジャーパッド調整構造に関する。
【背景技術】
【０００２】
乳房の形状を形良く維持するために、ブラジャーは、一般に、そのカップの内側に設けられるブラジャーパッドを含む。それにより、女性使用者がブラジャーを着用した時に、カップが女性の乳房を包み、ブラジャーパッドが乳房とカップの間に位置するようになり、女性使用者の乳房形状を調整する。
【０００３】
また、異なる使用者の異なる要求に応じて乳房形状を調整できるようにするための従来のブラジャーパッド調整構造１の断面模式図を図１Ａに示す。ブラジャーパッド調整構造１は、エアポンプ本体１ａと、２つの袋部１ｂと、２つの通路１ｄとを備える。エアポンプ本体１ａが各通路１ｄを介して袋部１ｂに接続されており、エアポンプ本体１ａを押すと、エアポンプ本体１ａが気体を各袋部１ｂに供給して、更に各袋部１ｂを膨張させることができ、使用者が要求に応じて袋部１ｂの大きさを調整できるようになる。次に、図１Ｂに示すように、ブラジャーパッド調整構造１が２つのカップ１ｅを有するブラジャーの内面に設けられ、各袋部１ｂはそれぞれ各カップ１ｅに設けられる。図１Ｃはこのブラジャーのカップ１ｅと袋部１ｂの相対的位置関係を示す模式図であり、各袋部１ｂの下縁１ｃと各カップ１ｅの下縁１ｆが接合されて、ブラジャーパッド調整構造１をこのブラジャーに接合させる。
【０００４】
以上のように、各袋部１ｂの下縁１ｃと各カップ１ｅの下縁１ｆが接合している時に、袋部１ｂの傾斜角度が制限されるので、袋部１ｂが膨張すると、図１Ｃに示すように、袋部１ｂがカップ１ｅから離れて所定の角度で傾斜し、袋部１ｂとカップ１ｅの間に隙間が発生する。そのため、袋部１ｂをカップ１ｅに完全に貼り合せることができなくなり、使用者がこのブラジャーを着用した場合に、乳房を完全にカップ１ｅと袋部１ｂに貼り合せることができなくなって、更に完璧な乳房形状になるように調整することができない。
【０００５】
なお、従来のブラジャーパッド調整構造１は、このブラジャーに接合される時に、エアポンプ本体１ａがこれらのカップ１ｅの間のブラジャー中央領域１ｇに設けられる。エアポンプ本体１ａがブラジャーの外部に現れることを回避するために、ブラジャー中央領域１ｇに所定の高さを必要とするので、中央部分の高さが低いブラジャーには適用されず、言い換えると、従来のブラジャーパッド調整構造１は、ブラジャー中央領域が浅いＶ字状となっているブラジャー（図１Ｂに示す）のみに適用され、その他のブラジャー中央領域が深いＶ字状となっているブラジャーに適用されていなかった。
【０００６】
以上のことに鑑みて、上述した欠陥を改善するブラジャーパッド調整構造を提供することは、この業界が差し迫って解決しようとする課題となっている。
【考案の概要】
【考案が解決しようとする課題】
【０００７】
本考案は、様々なデザインのブラジャーに適用できるブラジャーパッド調整構造を提供することを目的とする。
【課題を解決するための手段】
【０００８】
上述した目的を達成するために、本考案の実施例におけるブラジャーパッド調整構造は、人体の２つの乳房に対応しそれぞれが内側凹部及び内側下縁を有する２つのカップを備えるブラジャーに用いられるものであり、袋部と、エアポンプ本体と、排気弁とを備える。この袋部は、第一層膜の周縁と第二層膜を一体成形によって接合してなり、２つの乳房接触部及び中央通路部を定義するものであり、この中央通路部がこれらの乳房接触部の間に位置し、各乳房接触部の下縁のそれぞれが各カップの内側下縁に接合される。各乳房接触部が第一層膜と第二層膜を繋ぐ第一締付線を有し、各乳房接触部が第一締付線により第一部分と第二部分に区切られ、第一部分が各乳房接触部の下縁と各乳房接触部の第一締付線の間に位置し、第二部分が各カップの内側凹部に対応する。第一部分と第二部分の間に第一締付線を通過する少なくとも１つの第一通路を有し、第一部分と第二部分がこの第一通路を介して流体が流通できるように連通している。エアポンプ本体は、袋部に設けられ、且つ第一層膜と第二層膜の一方に設けられ、押されると、流体を袋部に供給する。排気弁は、袋部に設けられ、第一層膜と第二層膜の一方に固定設置されており、袋部中の流体を外部に排出する。エアポンプ本体の流体を袋部に供給すると、袋部は膨張して、更に袋部内に気室を形成する。
【０００９】
上述した目的、技術的特徴及びメリットをより明確にするために、以下、添付の図面を参照しながら好ましい実施例に基づいて詳細に説明する。
【図面の簡単な説明】
【００１０】
【図１Ａ】従来のブラジャーパッド調整構造の模式図である。
【図１Ｂ】従来のブラジャーパッド調整構造とブラジャーを組み合わせた模式図である。
【図１Ｃ】従来のブラジャーパッド調整構造とブラジャーの相対的関係の断面模式図である。
【図２Ａ】本考案の第一実施例におけるブラジャーパッド調整構造の模式図である。
【図２Ｂ】図２Ａの断面模式図である。
【図２Ｃ】本考案の第一実施例におけるブラジャーパッド調整構造とブラジャー及び人体乳房の相対的位置関係の模式図である。
【図２Ｄ】本考案の第一実施例におけるブラジャーパッド調整構造とブラジャーを接合した模式図である。
【図３】本考案のその他の実施例におけるブラジャーパッド調整構造の模式図である。
【図４Ａ】本考案の第二実施例におけるブラジャーパッド調整構造の模式図である。
【図４Ｂ】図４Ａの断面模式図である。
【図４Ｃ】本考案の第二実施例におけるブラジャーパッド調整構造とブラジャーを接合した模式図である。
【図４Ｄ】本考案の第二実施例におけるブラジャーパッド調整構造とブラジャーを接合したまた１つの模式図である。
【図４Ｅ】本考案のその他の実施例におけるブラジャーパッド調整構造とブラジャーを接合した模式図である。
【考案を実施するための形態】
【００１１】
本考案の第一実施例におけるブラジャーパッド調整構造２の模式図である図２Ａと、図２Ａの局所断面模式図である図２Ｂと、本考案の第一実施例におけるブラジャーパッド調整構造２とブラジャー３及び乳房４の相対的関係の模式図である図２Ｃと、本実施例におけるブラジャーパッド調整構造２とブラジャー３を組み合わせた模式図である図２Ｄとを参照しながら説明する。
【００１２】
本実施例のブラジャーパッド調整構造２は人体の２つの乳房４に対応し得る。詳しく説明すると、ブラジャーパッド調整構造２は、袋部２１と、エアポンプ本体２２と、排気弁２３とを備える。袋部２１は、第一層膜２４と第二層膜２５を接合して一体形成されたものであり、２つの乳房接触部２１１と中央通路部２１２を定義し、中央通路部２１２がこれらの乳房接触部２１１の間に位置する。且つこれらの乳房接触部２１１と中央通路部２１２間で流体が流通できるように互いに連通している。
【００１３】
図２Ｂと図２Ｃに示すように、本実施例におけるブラジャーパッド調整構造２はブラジャー３に接合されてよく、使用者がブラジャー３を着用した時に、ブラジャーパッド調整構造２が人体の乳房４に対応し得る。詳しく説明すると、エアポンプ本体２２は、袋部２１に設けられ、且つ第一層膜２４と第二層膜２５のどちらか一方に設けられる。更に説明すると、袋部２１の内部に設けられ、且つ第一層膜２４と第二層膜２５のどちらか一方の内部に設けられており、押されると、流体を袋部２１に供給することができる。排気弁２３は、袋部２１に固定設置されており、使用者はいつでも要求に応じて同時に排気弁２３及び袋部２１を押して、袋部２１中の流体を排気弁２３を介して外部に排出することができる。エアポンプ本体２２は、袋部２１に設けられ、袋部２１における任意位置に設けられてよいので、ブラジャー３の中央箇所に位置することが避けられ、本実施例におけるブラジャーパッド調整構造２が様々のデザインのブラジャーに適用できる。例えば、図２Ｄに示すように、中央領域が深いＶ字状のブラジャー３に適用できる。それは、ブラジャー３の中央領域の高さが低くても、エアポンプ本体２２が外部に現れないように、エアポンプ本体２２が一方の乳房接触部２１１に設けられているからである。
【００１４】
図２Ｃに示すように、本実施例において、袋部２１は、下縁２１１ａを備え、ブラジャー３は、それぞれが内側下縁３１ａと内側凹部３１ｂを有する２つのカップ３１を備え、実施時に袋部２１の下縁２１１ａとこれらのカップ３１の各々の内側下縁３１ａとが接合される。本実施例においてミシン縫製によって袋部２１の下縁２１１ａとカップ３１の内側下縁３１ａとを接合してもよく、また、カップ３１の内側下縁３１ａに鋼リングを設けてもよい。本考案の他の実施例においては接着等やその他の方式によって接合してもよく、ここではその説明は省略する。使用者の乳房の大きさが異なる場合には、使用者は、要求に応じてブラジャーパッド調整構造２のみを使用してブラジャー３のカップに設けて、エアポンプ本体２２又は排気弁２３によって袋部２１の大きさを調整することができる。
【００１５】
なお、本実施例において、図２Ａに示すように、排気弁２３は、エアポンプ本体２２から離れて第一層膜２４に設けられ、且つ中央通路部２１２に位置している。しかしながら、他の実施例においては、排気弁２３をエアポンプ本体２２から離れて第一層膜２４と第二層膜２５の一方に設けてもよく、又はエアポンプ本体２２に設けてもよい。
【００１６】
本実施例では、複数の締付線によってブラジャーパッド調整構造２をカップ３１及び人体の乳房形状に合わせて曲げることができる。各乳房接触部２１１は、いずれも第一層膜２４と第二層膜２５を繋ぐ第一締付線２６を備え、各乳房接触部２１１が第一締付線２６により第一部分２１ａと第二部分２１ｂに区切られる。第一部分２１ａは各乳房接触部２１１の下縁２１１ａと各乳房接触部２１１の第一締付線２６の間に位置する。ブラジャーパッド調整構造２がブラジャー３に接合され、且つカップ３１の内側下縁３１ａに鋼リングが設けられる場合には、第一部分２１ａが鋼リング内縁と第一締付線２６の間に対応し、第二部分２１ｂがカップ３１の内側凹部３１ｂに対応し得る。各乳房接触部２１１の第二部分２１ｂは、第一層膜２４と第二層膜２５を繋ぐ第二締付線２７を備え、その第二締付線２７により第一サブ部分２１０ａと第二サブ部分２１０ｂに区切られる。第一サブ部分２１０ａはこの乳房接触部２１１の中央箇所に位置し、第二サブ部分２１０ｂは第二締付線２７と各この乳房接触部２１１の上縁２１１ｂの間に位置し、袋部に気体が満たされたとき、第二サブ部分２１０ｂの第二厚さＴ２が第一サブ部分２１０ａの第一厚さＴ１より厚みが小さい。
【００１７】
図２Ｃに示すように、第一締付線２６により、第二部分２１ｂがカップ３１の内側凹部３１ｂへ折り曲がってもよく、袋部２１が乳房４の弧面形状に合わせて曲がった時に、第一部分２１ａが乳房４の下縁に対応して、乳房４を持ち上げることができ、第二部分２１ｂが乳房４の中間及び上半分に対応して、乳房４を集中して押し付ける効果を達成できる。更に説明すると、第二締付線２７により第二サブ部分２１０ｂをカップ３１へ折り曲げてもよく、且つ内側凹部３１ｂに更に近接させてもよく、それによって第二部分２１ｂの第一サブ部分２１０ａを乳房４の中間及び下半分に対応させ、第二サブ部分２１０ｂを乳房４の中間及び上半分に対応させ、第一部分２１ａによる乳房４の形状の維持を持続させ、人体の乳房形状を理想的な形状にすることができる。
【００１８】
以上述べたように、エアポンプ本体２２が流体を袋部２１に供給すると、袋部２１が膨張して、袋部２１に気室が形成され、上記の締付線を設けることにより、袋部２１を更に上記の第一部分２１ａ、第二部分２１ｂ（第一サブ部分２１０ａと第二サブ部分２１０ｂを含んでよい）を含む複数の部分に区切ることができる。第一部分２１ａと第二部分２１ｂの気体が互いに流通できるようにするために、第一部分２１ａと第二部分２１ｂの間に、この第一締付線２６を通過する少なくとも１つの第一通路２８を備えられ、第一部分２１ａと第二部分２１ｂが第一通路２８を介して流体が流通できるように連通されている。また、第一サブ部分２１０ａと第二サブ部分２１０ｂの流体が互いに流通できるようにするために、第一サブ部分２１０ａと第二サブ部分２１０ｂの間に、第二締付線２７を通過する少なくとも１つの第二通路２９を備えられ、第一サブ部分２１０ａと第二サブ部分２１０ｂが第二通路２９を介して流体が流通できるように連通されている。即ち、袋部２１内における気室が複数のサブ気室に区切られており、袋部２１の各部分がそれぞれサブ気室を有してもよい。エアポンプ本体２２は、これらの乳房接触部２１１の一方の第二部分２１ｂの第一サブ部分２１０ａに位置させてもよい。
【００１９】
袋部２１をミシン縫製によってブラジャー３に接合する時に、袋部２１の曲げ角度を制限することを回避するために、各第一サブ部分２１０ａは第一幅Ｗ１を有し、各第二サブ部分２１０ｂは第二幅Ｗ２を有し、この第一幅Ｗ１をこの第二幅Ｗ２より大きくする。それによって、袋部２１とブラジャー３のカップ３１の内側下縁３１ａは、対応する曲がった弧形状を有し、各乳房接触部２１１は、下縁２１１ａのみによって第一部分２１ａをカップ３１に接合させることができ、第二部分２１ｂは、第一サブ部分２１０ａの第一幅Ｗ１が第二サブ部分２１０ｂの第二幅Ｗ２より大きくなるように調整することで、異なる乳房形状に合わせて曲げることができる。
【００２０】
図３に示すように、本考案の他の実施例においては、要求に応じて袋部２１の各乳房接触部２１１に第一締付線２６のみを備えさせ、各乳房接触部２１１を第一部分２１ａと第二部分２１ｂのみに区切り、その他のサブ部分を一切有しないようにすることもできる。同様に要求に応じて第一通路２８と第二通路２９の数量を調整でき、ここでその説明は述べない。
【００２１】
図２Ｄに示すように、ブラジャー３は、各カップ３１が有する外側領域３２に接続されている接着層３３ｂと保護層３３ｃを有する２つのサイドパネル３３を有する。この保護層３３ｃは接着層３３ｂ上に貼り付けられ、接着層３３ｂから分離することもでき、それによって接着層３３ｂを各乳房の外側に貼り付けることができ、人体の脇の下方ではなく直接乳房の外側に貼り付けるようにブラジャー３を着用できる。接着層３３ｂが数回使用されて接着性を有しなくなった時に、使用者は、これらのサイドパネル３３のみを交換でき、資源の浪費を防ぐことができる。
【００２２】
本考案の第二実施例におけるブラジャーパッド調整構造５の模式図である図４Ａと、図４Ａの局所断面模式図である図４Ｂと、本実施例におけるブラジャーパッド調整構造５とブラジャー３を組み合わせた模式図である図４Ｃと、本実施例におけるブラジャーパッド調整構造５とブラジャー３を組み合わせたまた１つの模式図である図４Ｄとを参照しながら説明する。本実施例のブラジャーパッド調整構造５は人体の２つの乳房に対応し得る。詳しく説明すると、ブラジャーパッド調整構造５は、袋部５１と、エアポンプ本体５２と、排気弁５３とを備える。袋部５１は、第一層膜５４と第二層膜５５を接合して一体形成され、２つの乳房接触部５１１と中央通路部５１２を定義し、中央通路部５１２がこれらの乳房接触部５１１の間に位置する。且つこれらの乳房接触部５１１と中央通路部５１２間で互いに気体が流通できるように連通している。
【００２３】
本考案の第一実施例と異なり、第二実施例では、図４Ｂに示すように、エアポンプ本体５２は、袋部５１の中央通路部５１２中の第一層膜５４と第二層膜５５の一方に設けられ、押されると、流体を袋部５１に供給できる。排気弁５３は、袋部５１上に固定設置されており、使用者はいつでも要求に応じて同時に排気弁５３及び袋部５１を押して、袋部５１における流体を排気弁５３を介して外部に排出することができる。
【００２４】
以上述べたように、本実施例において、袋部５１は、下縁５１１ａを備え、ブラジャー３は、それぞれが内側下縁３１ａと内側凹部３１ｂを有する２つのカップ３１を備え、実施時に各乳房接触部５１１の下縁５１１ａのそれぞれと各カップ３１の内側下縁３１ａが接合される。カップ３１の内側下縁３１ａに鋼リングが設けられてもよく、ミシン縫製によって各乳房接触部５１１の下縁５１１ａと各カップ３１の内側下縁３１ａを接合してもよい。本考案の他の実施例では、接着等のその他の方式によって接合してもよく、それは当業者に容易に行われ、ここでその説明は省略する。
【００２５】
第二実施例では、図４Ａに示すように、排気弁５３は、エアポンプ本体５２から離れて第一層膜５４上に設置され、且つ中央通路部５１２に位置している。しかしながら、他の実施例では、エアポンプ本体５２から離れ第一層膜５４と第二層膜５５の一方に設けられ、又はエアポンプ本体５２に設けられてもよい。
【００２６】
第二実施例は本考案の第一実施例と同様に、複数の締付線によりブラジャーパッド調整構造５はカップ３１と人体の乳房形状に合わせて曲げることができる。。各乳房接触部５１１は、いずれも第一層膜５４と第二層膜５５を繋ぐ第一締付線５６を備える。各乳房接触部５１１が第一締付線５６により第一部分５１ａと第二部分５１ｂに区切られ、第一部分５１ａが各乳房接触部５１１の下縁５１１ａと各乳房接触部５１１のこれらの第一締付線５６の間に位置する。ブラジャーパッド調整構造５がブラジャー３に接合され、且つカップ３１の内側下縁３１ａに鋼リングが設けられる場合には、第一部分５１ａが鋼リング内縁と第一締付線５６の間に対応し、第二部分５１ｂがカップ３１の内側凹部３１ｂに対応し得る。各乳房接触部５１１の第二部分５１ｂは、第一層膜５４と第二層膜５５を繋ぐ第二締付線５７を備え、その第二締付線５７により第一サブ部分５１０ａと第二サブ部分５１０ｂに区切られる。第一サブ部分５１０ａは乳房接触部５１１の中央箇所に位置し、第二サブ部分５１０ｂは第二締付線５７と各乳房接触部５１１の上縁５１１ｂの間に位置し、袋部に気体が満たされたとき、第二サブ部分５１０ｂの厚さが第一サブ部分５１０ａの厚さより厚みが小さい。それによって、第一部分５１ａが乳房を持ち上げ、第二部分５１ｂが乳房を集中して押し付けて、第三部分５１ｃによって同時に乳房形状を維持する効果を達成する。
【００２７】
第一部分５１ａと第二部分５１ｂの気体が互いに流通できるようにするために、第一部分５１ａと第二部分５１ｂの間に、この第一締付線５６を通過する少なくとも１つの第一通路５８を備えられ、第一部分５１ａと第二部分５１ｂの流体が第一通路５８を介して流動できるように連通される。第一サブ部分５１０ａと第二サブ部分５１０ｂの流体が互いに流通できるようにするために、第一サブ部分５１０ａと第二サブ部分５１０ｂの間に、第二締付線５７を通過する少なくとも１つの第二通路５９を備えられ、第一サブ部分５１０ａと第二サブ部分５１０ｂが第二通路５９を介して流体が流通できるように連通されている。
【００２８】
第一実施例と同様に、要求に応じて第一通路５８と第二通路５９の数量を調整することができ、各第一サブ部分５１０ａは第一幅を有し、各第二サブ部分５１０ｂは第二幅を有し、この第一幅がこの第二幅より大きくする。それによって、第一部分５１ａとカップ３１が接合された時に、第二部分５１ｂの第一サブ部分５１０ａと第二サブ部分５１０ｂが各カップ３１に接合されて各カップ３１に制限されることなく、異なる乳房形状に合わせて曲げることができる。
【００２９】
図４Ｃ及び図４Ｄに示すように、第二実施例では、各カップ３１のそれぞれは、第一貼付構造３２ａを有する外側領域３２を備え、ブラジャー３は、それぞれが第二貼付構造３３ａ、接着層３３ｂ及び保護層３３ｃを有する２つのサイドパネル３３を備える。第二貼付構造３３ａが取外し可能に第一貼付構造３２ａに貼り合わされる。、保護層３３ｃは接着層３３ｂに貼り付けられ、また、接着層３３ｂから分離してもよく、それによって接着層３３ｂが各乳房の外側に貼り付けることができ、直接乳房の外側に貼り付けられ、且つ人体の脇の下方に位置するようにブラジャー３を着用することができる。接着層３３ｂが数回使用されて接着性を有しなくなった時に、使用者は、これらのサイドパネル３３のみを交換して、資源の浪費を防ぐことができる。第二実施例において、これらの第一貼付構造３２ａとこれらの第二貼付構造３３ａがマジックテープ（ＶＥＬＣＲＯ）（登録商標）であってもよい。
【００３０】
更に本考案の他の実施例の模式図である図４Ｅに示すように、本考案のその他の実施例において、ブラジャー３は、留めリング３５ａ及び留め具３５ｂを有する少なくとも２つの留め具ユニット３５とストラップ３６とを備える。各カップ３１の外縁に留めリング３５ａが設けられ、ストラップ３６の両端のそれぞれに各留め具３５ｂが設けられ、各留め具３５ｂのそれぞれと各留めリング３５ａが接続されて、ストラップ３６とこれらのカップ３１を接合させる。同様に、本考案の他の実施例において、ストラップ３６の両端のそれぞれに取外し可能に第一貼付構造３２ａに貼り合せられるように第二貼付構造３３ａを有してもよい。それによって、使用者は、運動等の活動を行う場合に、本考案のブラジャー３を着用する時に、ブラジャー３をより安定的に胸部に固定するために、ストラップ３６を組み合わせることができる。
【００３１】
以上のことから、従来の技術と比較して、本考案のブラジャーパッド調整構造では、エアポンプ本体を袋部内に設けることによって、エアポンプ本体の設置位置を効果的に制御でき、ブラジャーパッド調整構造を様々のデザインのブラジャーに適用させることができる。また、更に袋部に複数の締付線を設けることもでき、袋部を人体乳房の形状とブラジャーの形状に合わせて曲げさせ、異なる使用者の乳房形状に適用させることができる。
【００３２】
上述した実施例は、本考案の実施態様を例示し、本考案の技術的特徴を説明することのみに用いられ、本考案の技術的範囲を制限するためのものではない。当業者が容易に完成できる変更又は均等的な配置はすべて本考案の主張した技術的範囲に含まれる。本考案の技術的範囲は実用新案登録請求の範囲に基づくべきである。
【符号の説明】
【００３３】
１        ブラジャーパッド調整構造
１ａ      エアポンプ本体
１ｂ      袋部
１ｃ      下縁
１ｄ      通路
１ｅ      カップ
１ｆ      下縁
１ｇ      ブラジャー中央領域
２        ブラジャーパッド調整構造
２１      袋部
２１ａ    第一部分
２１ｂ    第二部分
２１０ａ  第一サブ部分
２１０ｂ  第二サブ部分
２１１    乳房接触部
２１１ａ  下縁
２１１ｂ  上縁
２１２    中央通路部
２２      エアポンプ本体
２３      排気弁
２４      第一層膜
２５      第二層膜
２６      第一締付線
２７      第二締付線
２８      第一通路
２９      第二通路
３        ブラジャー
３１      カップ
３１ａ    内側下縁
３１ｂ    内側凹部
３２      外側領域
３２ａ    第一貼付構造
３３      サイドパネル
３３ａ    第二貼付構造
３３ｂ    接着層
３３ｃ    保護層
３５      留め具ユニット
３５ａ    留めリング
３５ｂ    留め具
３６      ストラップ
４        乳房
Ｗ１      第二幅
Ｔ１      第一厚さ
Ｔ２      第二厚さ
５        ブラジャーパッド調整構造
５１      袋部
５１ａ    第一部分
５１ｂ    第二部分
５１０ａ  第一サブ部分
５１０ｂ  第二サブ部分
５１１    乳房接触部
５１１ａ  下縁
５１１ｂ  上縁
５１２    中央通路部
５２      エアポンプ本体
５３      排気弁
５４      第一層膜
５５      第二層膜
５６      第一締付線
５７      第二締付線
５８      第一通路
５９      第二通路
【図１Ａ】
0003188201.tif 000003
【図１Ｂ】
0003188201.tif 000004
【図１Ｃ】
0003188201.tif 000005
【図２Ａ】
0003188201.tif 000006
【図２Ｂ】
0003188201.tif 000007
【図２Ｃ】
0003188201.tif 000008
【図２Ｄ】
0003188201.tif 000009
【図３】
0003188201.tif 000010
【図４Ａ】
0003188201.tif 000011
【図４Ｂ】
0003188201.tif 000012
【図４Ｃ】
0003188201.tif 000013
【図４Ｄ】
0003188201.tif 000014
【図４Ｅ】
0003188201.tif 000015